(57)【要約】【課題】  新しい手品の演出が要求され、且つ、簡単な仕掛けにより熟練を要することなく、他人を容易に楽しませ、より不思議な思いを見る者に与えることのできる手品用具としてのアイテムが求められていた。【解決手段】  台紙20の下面24に該台紙20と同じ形状にして同じ大きさのカバー紙30が貼着されたマジックカード10であって、前記台紙20は、上面23に事物の描かれた選択事物記載部21を複数有し、該選択事物記載部21の位置に対応した位置である台紙下面24を特別図柄部22とし、前記カバー紙30は、前記特別図柄部22を除いた部分のみで台紙20に貼着されていることを特徴とする。【選択図】      図６
2009072277.tif 000002
【特許請求の範囲】
【請求項１】
台紙の下面に該台紙と同じ形状にして同じ大きさのカバー紙が貼着されたマジックカードであって、
前記台紙は、上面に事物の描かれた選択事物記載部を複数有し、該選択事物記載部の位置に対応した位置である台紙下面を特別図柄部とし、
前記カバー紙は、前記特別図柄部を除いた部分のみで台紙に貼着されていることを特徴とする手品用具。
【請求項２】
前記カバー紙の下面には前記選択事物記載部の位置に対応した位置に迷彩事物記載部を有することを特徴とする請求項１に記載の手品用具。
【請求項３】
前記台紙と前記カバー紙が円環状に形成されることを特徴とする請求項１又は請求項２に記載の手品用具。
【発明の詳細な説明】
【技術分野】
【０００１】
本発明は、相手が任意に選んだ事物だけを他とは異なる物として相手に与えることのできるマジックを行う手品用具に関する。
【背景技術】
【０００２】
従来、カードを用いた手品では、トランプを用いるものが多く、特に相手が５２枚のカードから任意に選んで抜き取った１枚のカードの種類や数字を当てるものが多い。
また、種々の絵柄を描いた複数枚のカードをアイテムカードとして用意し、このアイテムカードに描かれた絵柄から相手に心の中で１つの絵柄を選んでもらい、数枚のカードを相手に提示して演技者が質問を行うことにより、相手が選んだ絵柄を当てる手品を行う手品用カードも提案されている（例えば特許文献１）。
【０００３】
更に、予言のマジックを行う場合、従来は相手が言った内容を別の場所に居る助手が素早く紙に書き、封筒などに封入して密かに演技者に渡すなどの方法が採られていた。
【特許文献１】特開平１０−３３７３８２号公報
【発明の開示】
【発明が解決しようとする課題】
【０００４】
前述のようにトランプや絵柄カードなど種々の手品用具としてのカードが従来から用いられているも、新しい手品の演出が要求され、且つ、簡単な仕掛けにより熟練を要することなく、他人を容易に楽しませ、より不思議な思いを見る者に与えることのできる手品用具としてのアイテムが求められていた。
そこで、本発明はこのような要求にこたえ、カバー紙が台紙に貼着されたカードを用いた新たな演出を可能とする手品用具を提供することを目的としている。
【課題を解決するための手段】
【０００５】
本発明の手品用具は、台紙の下面に該台紙と同じ形状にして同じ大きさのカバー紙が貼着されたマジックカードであって、前記台紙は、上面に事物の描かれた選択事物記載部を複数有し、該選択事物記載部の位置に対応した位置である台紙下面を特別図柄部とし、前記カバー紙は、前記特別図柄部を除いた部分のみで台紙に貼着されていることを特徴とする。
【０００６】
又、前記カバー紙の下面には前記選択事物記載部の位置に対応した位置に迷彩事物記載部を有することもある。
【０００７】
更に、前記台紙と前記カバー紙が円環状に形成されることもある。
【発明の効果】
【０００８】
本発明に係る手品用具としてのマジックカードは、相手が任意に選択した事物の描かれた部分をマジックカードから切断分離し、更にその分離した台紙に貼着しているカバー紙を外し台紙のみを相手に渡すことで、他とは異なる事物の描かれた物あるいは他とは異なる彩色の施された物を相手に与えることができるため、相手に不思議な現象を現実として感じさせることができる。
【０００９】
そして、円環状に形成したマジックカードは、相手に端、中央、上下左右といった概念を想起させることなく選ぼうとする事物の全てを平等に見てもらうことができる。
【発明を実施するための最良の形態】
【００１０】
本発明を実施するための最良の形態の手品用具は、円環状に形成された台紙20の下面24に台紙20と同じ形状にして同じ大きさのカバー紙30が貼着されたマジックカード10であって、台紙20は、上面23に各々異なった事物としての記号、文字、数字、絵柄、写真等の描かれた選択事物記載部21を複数有し、該選択事物記載部21の位置に対応した位置である台紙下面24を特別図柄部22とし、この特別図柄部22には、所定の事物が描かれており、カバー紙30の下面32には、前記選択事物記載部21の位置に対応した位置に迷彩事物記載部31を有し、この迷彩事物記載部31には、特別図柄部22に描いた事物とは異なる事物が描かれており、このカバー紙30が特別図柄部22を除いた部分のみで台紙20に貼着されるものである。
【００１１】
尚、台紙下面24には、事物を記載せず全面に彩色のみを施すこともある。即ち、台紙下面24の全面に包含される特別図柄部22も同一の彩色のみが施されている。更に、カバー紙下面32も、全面に台紙下面24とは異なる色で彩色のみを施し、事物の描かれる迷彩事物記載部31を設けないこともある。
【実施例】
【００１２】
以下、本発明の実施例を図に基づいて詳説する。本発明に係るマジックカードは、円環状に形成された台紙の下面に台紙と同じ形状にして同じ大きさのカバー紙が貼着されたものであり、この台紙20は図１に示すように、その上面23に相手に選択してもらう事物としての記号、文字、数字、絵柄、写真等の描かれた複数の選択事物記載部21を有している。この例では台紙20の内周縁と、外周縁と、内周縁から外周縁に向かう二本の平行線により区分される略矩形の選択事物記載部21を１２箇所備え、選択事物記載部21のそれぞれに異なるアルファベットが記載されている。そして、選択事物記載部21は、それぞれの大きさ及び形状が同一であり、且つ円周方向に等間隔で配置されている。
【００１３】
又、図２に示すように台紙上面23の選択事物記載部21の位置に対応した位置である台紙下面24を特別図柄部22とし、この特別図柄部22のそれぞれに同じ事物が記載されている。この例では１種類の網目模様が１２箇所において記載されている。
【００１４】
又、特別図柄部22のそれぞれの両端外方には特別図柄部22の内周縁から外周縁に向かって形成される辺と略平行の帯状の切断部25を有し、更に外方には、切断部25と切断部25により区分される貼着部26を有している。この貼着部26には後述するカバー紙30と貼着するための粘着材27が塗布してある。
【００１５】
そして、カバー紙30は下面32に特別図柄部22と同じ形状にして同じ大きさ且つ同数で同じ配列から成る迷彩事物記載部31を有している。このため、台紙20の下面24とカバー紙30の上面を重合させるときに、同構成の特別図柄部22と迷彩事物記載部31とを一致させることができる。そして、全ての迷彩事物記載部31には特別図柄部22に記載された事物とは異なる事物が記載されている。この例では１種類の斜線模様が１２箇所において記載されている。
【００１６】
そして、マジックカードは、台紙下面24のそれぞれの特別図柄部22とカバー紙下面32のそれぞれの迷彩事物記載部31とが重なって一致するように台紙20の貼着部26の粘着材27により貼着され、台紙20とカバー紙30により二重構造となるものである。このとき、図３に示すように台紙20の選択事物記載部21と、特別図柄部22と、カバー紙30の迷彩事物記載部31とがそれぞれ一致して重合し、マジックカード10の事物記載部層11を形成している。又、この事物記載部層11の両端には台紙20の切断部25と、切断部25に重合するカバー紙30とから成る切断部層12及び粘着材27によりカバー紙30と台紙20とが貼着している貼着部層13を形成している。
【００１７】
尚、マジックカード10のどの部分を持ったとしても曲がったり、折れたりしないように、台紙20を厚紙等のやや硬めの材質で形成することが好ましく、又、マジックカード10が二重構造であることを相手に悟られないようにすると共にめくり易いように、カバー紙30を薄紙等の柔軟且つ薄いもので形成することが好ましい。
【００１８】
又、台紙20とカバー紙30は簡単に鋏やカッターナイフ等の身近な切断手段により切断できるものであればよく、紙でなくとも合成紙や樹脂フィルム等で形成したものでもよい。逆に、紙であっても厚すぎて鋏やカッターナイフ等の身近な切断手段で簡単に切断できなくなってしまうものは適さない。
【００１９】
図４に示す鋏40は、相手が任意に選んだ事物の記載された事物記載部層11をマジックカード10から切断分離するためのものである。
【００２０】
この鋏40の刃身41の大きさは切断された事物記載部層11（以下切片という）を覆い隠せる幅と長さを備え、一方の刃身41の刃表42には切片により覆い隠れる程小さい粘着部43を有していることが好ましい。尚、この例の鋏40は刃の合わせ方が右利き用の合わせ方となっているものである。
【００２１】
以下、このマジックカード10を用いてマジックを行う遊び方を説明する。
準備として演技者は、切片により覆い隠れる程小さい両面テープ等を鋏40の刃身41に貼着させ粘着部43を形成しておく。
【００２２】
そして、カバー紙30の迷彩事物記載部31を相手に見せないようにしてカバー紙30を下に、台紙20を上にしてマジックカード10を机等の平面台の上に置く。
【００２３】
次に、台紙上面23の複数の選択事物記載部21に記載された事物の中から、相手に任意の事物を選んでもらう。
【００２４】
そして、相手が任意に選択した事物の記載された事物記載部層11を鋏40により切断分離する。その手順としては、前述した右利き用に刃が合わされた鋏40を使用する場合は、先ず鋏40を開いた状態において粘着部43の形成された刃身41が下になるように、且つ相手からは粘着部43が見えないように、粘着部43の形成されていない刃身41の刃表42が相手と対向するように持つ。
【００２５】
そして演技者側から見て左側の切断部層12を先に切断する。例えば、図５（ａ）に示す左側の切断部層12における切断線14に沿って切断する。切断すると、切断部層12には台紙20とカバー紙30を貼着する粘着材27が無いため、左端はカバー紙30を台紙20からめくることのできる状態となっているが、演技者は大きい刃身41を備える鋏40により、カバー紙30をめくることのできる状態にあること、又は、カバー紙30がめくれている状態にあることを相手に悟られないように隠すことができる。
【００２６】
次いで右側の切断部層12を切断する。ただし、図５（ｂ）に示すように、右側の切断部層12における切断線14に沿って切断する際、図６に示すように、切断が完了する前に左端のカバー紙30をめくるなどして、鋏40の粘着部43を切断分離しようとするマジックカード10の事物記載部層11におけるカバー紙下面32の迷彩事物記載部31に接触させることで、粘着部43にカバー紙30を貼着させる。即ち、相手が任意に選択した事物の記載された事物記載部層11の左側を切断後、右側の切断を開始すると共に切断がなされた左端をめくり、切断の完了前に迷彩事物記載部31部分のカバー紙30を鋏40の粘着部43に粘着させるものである。
【００２７】
そして、切断を完了させ、当該事物記載部層11をマジックカード10から分離して、切片とし、更に当該切片のカバー紙30を鋏40に粘り付かせて台紙20から分離させるものである。尚、切断途中で切断する選択事物記載部21の事物を相手に確認させるように鋏40を寝かせ、鋏40の粘着部43をマジックカード10の下面（カバー紙下面32）に接触させるようにしてカバー紙30を粘着部43に粘着させることもある。
【００２８】
この後、演技者は、当該切片のカバー紙30が貼着された刃身41が下になるように鋏40を置き、当該切片の裏面（台紙下面24）及び当該切片が取り除かれたマジックカード10の裏面（カバー紙下面32）を相手に見せる。
【００２９】
この結果、当該切片の裏面に記載された事物（本例においては特別図柄部22に描かれた網目模様）と、当該切片が取り除かれたマジックカード10の裏面に記載された事物（本例においては迷彩事物記載部31に描かれた斜線模様）が異なっていること、即ち自分が任意に選択したものだけが、他とは異なるものであるという不思議な現象を、相手に現実として感じさせることができる。
【００３０】
尚、選択事物記載部21に描く事物、特別図柄部22に施す彩色又は描く事物、そして事物の描かれた迷彩事物記載部31の有無によって、様々な演出ができる。例えば、選択事物記載部21の全てに「おみくじ」と記載し、特別図柄部22の全てに「吉」と記載し、迷彩事物記載部31の全てに「凶」と記載しておく。これにより、相手が選んだ「おみくじ」のみが吉となり、相手の今日の運勢が吉であるという、相手に喜ばれる占いをすることができる。
【００３１】
又、選択事物記載部21のそれぞれに異なる数字を記載し、特別図柄部22の全てに「当」と記載し、カバー紙下面32には迷彩事物記載部31を設けず、カバー紙下面32の全面に彩色のみを施しておく。そして相手には選択事物記載部21に記載された異なる数字の中から好きな数字を選んでもらう。これにより、相手が選んだ数字の記載された切片の裏面のみが「当」となり、切片の取り除かれたマジックカード10の裏面は彩色のみが施された無地となるから、相手に「自分は強運の持ち主である」と感じさせることもできる。
【００３２】
更に、選択事物記載部21のそれぞれにトランプの表（数字やマークの記載された面）を模擬した事物を記載し、特別図柄部22の全てに赤色からなるトランプの裏を模擬した事物を記載し、迷彩事物記載部31の全てに黒色からなるトランプの裏を模擬した事物を記載しておく。更に、表に「予言書」、裏に「あなたは赤いカードを選ぶ」と記載した一枚の紙（以下予言書という）を、裏の文字が相手に知られないように表を上にして机等の平面台の上に置いておく。そして、予言書の裏に相手が選ぶカードが予言されていることを伝え、選択事物記載部21に描かれた異なるトランプの中から好きなトランプを選んでもらう。
【００３３】
そして、マジックカード10から相手が選んだ事物記載部層11を切断分離し、更にその切片と、切片の取り除かれたマジックカード10を裏返し、相手が選んだトランプの裏の色だけが赤いことを示して、相手に不思議さを感じさせる。
【００３４】
そして、選択事物記載部21のそれぞれに異なる画家の名前を記載し、特別図柄部22には、それぞれの位置に対応する位置の選択事物記載部21に記載された画家の描いた絵の入った額を記載し、迷彩事物記載部31の全てに絵の入っていない白抜きの額を記載しておく。これにより、相手が選んだ画家の額にのみ、絵が入っており、相手に不思議さを感じさせることができる。更に、再度別のマジックカード10を使用して、別の画家を選んでもらえば前回とは異なる絵の入った額を相手に与えることができるため、何度でも新鮮な楽しみを相手に感じさせることができる。尚、特別図柄部22の事物を全て同一としておけば、予言としての会話などを予定しておくことが容易となる。
【００３５】
更に、選択事物記載部21のそれぞれに異なる絵柄を記載し、台紙下面24の全面を「黒」で着色し、カバー紙下面32の全面を「白」で着色する。このとき、台紙下面24の特別図柄部22は「黒」の色彩のみで構成され、カバー紙下面32には迷彩事物記載部31を設けていない。これにより、相手の選んだ絵柄の描かれた切片の裏面のみが「黒」となり、切片の取り除かれたマジックカード10の裏面は「白」となる。即ち、事物は記載せずとも、他とは異なる色彩の切片を相手に渡すことで不思議さを感じさせることができる。又、カバー紙下面32に事物の描かれた迷彩事物記載部31を設けていないため、台紙20とカバー紙30を貼着する際に生ずる迷彩事物記載部31と選択事物記載部21を一致させるための位置合わせ作業を省略することができる。
【００３６】
そして、図７に示すようにマジックカード10を帯状や矩形状に形成し、又事物記載部層11の大きさや形状を様々なものとし、更に事物記載部層11と事物記載部層11の配置間隔を不等とすることもある。
【００３７】
この場合、マジックカード10を構成する台紙20とカバー紙30は同じ大きさの帯状や矩形状から成り、貼着されている。ここで、事物記載部層11は、並列又は行列状に不等間隔に配置されている。又、それぞれの事物記載部層11の大きさや形状を異にしている。そして、切断部層12は事物記載部層11から外方に向かって一定の幅を持って形成されている。したがって、切断部層12において切断をするときに、右手用の刃合わせの鋏40を使用する場合は演技者側から見て反時計回りに切断していき、その他は前述と同様な手順を踏むことにより、同様な効果を奏することができると共に、事物記載部層11と事物記載部層11の間隔を一部広くするなどして、その部分に美麗なロゴやイラストを施すことができる。
【００３８】
もっとも、前述した円環状から成るマジックカード10では、選択事物記載部21を円周方向に一つずつ等間隔に配置することで相手に端、中央、上下左右といった概念を想起させずに、相手が選択事物記載部21に描かれた事物の全てを平等に見ることができる。又、幅の短い円環状や帯状から成るマジックカード10であれば、事物記載部層11を１列に配置し、事物記載部層11の両端にのみ切断部層12を形成すれば、切断処理を左側と右側それぞれに１度ずつ行うだけでよいので、マジックの所要時間を短縮させることができ、相手の疑惑を軽減できる。
【００３９】
そして、マジックカード10の切断作業を、粘着部43を有さない鋏40やカッターナイフ等の切断手段ですることもある。この場合、切断分離された切片のカバー紙30を指先等で隠すなどして相手に見えないように取り除き、切断分離された切片の台紙20のみを相手に渡せばよい。これに対し、前述した粘着部43を有する鋏40を使用すれば、相手に見えないように切片のカバー紙30をより容易に取り除くことができる。
尚、本発明は、以上の実施例の形態に限定されるものでなく、発明の要旨を逸脱しない範囲で自由に変更、改良が可能である。
【産業上の利用可能性】
【００４０】
本発明は、手品に不慣れな人などの何人でも、カードを用いた新たな手品の演出を容易に行うことができるようにすることのできる手品用品を提供するものである。
【図面の簡単な説明】
【００４１】
【図１】本発明の実施例に係る台紙の正面図。
【図２】本発明の実施例に係る台紙とカバー紙を下から見た時の分解斜視図。
【図３】本発明の実施例に係るマジックカードの簡略斜視図。
【図４】本発明の実施例に係る鋏の正面図。
【図５】本発明の実施例に係るマジックカードの切断手順を示す図。
【図６】本発明の実施例に係るマジックカードのカバー紙を台紙からめくる途中を示す図。
【図７】本発明の実施例に係る帯状及び矩形状のマジックカードの正面図。
【符号の説明】
【００４２】
10  マジックカード                            11  事物記載部層
12  切断部層                                  13  貼着部層
14  切断線
20  台紙                                      21  選択事物記載部
22  特別図柄部                                23  台紙上面
24  台紙下面                                  25  切断部
26  貼着部                                    27  粘着材
30  カバー紙                                  31  迷彩事物記載部
32  カバー紙下面
40  鋏                                        41  刃身
42  刃表                                      43  粘着部
【図１】
2009072277.tif 000003
【図２】
2009072277.tif 000004
【図３】
2009072277.tif 000005
【図４】
2009072277.tif 000006
【図５】
2009072277.tif 000007
【図６】
2009072277.tif 000008
【図７】
2009072277.tif 000009